(57)【要約】【課題】調光制御装置から調光信号を送信して複数系統の照明器具群を調光制御する照明調光制御システムにおいて、調光信号線の短絡をコスト高を招くことなく系統別に正しく検出する。【解決手段】各調光信号線Ｌａ、Ｌｂ、Ｌｃ、Ｌｄに調光信号Ｓが送信され、各調光信号線Ｌａ、Ｌｂ、Ｌｃ、Ｌｄに接続された照明器具群がそれぞれ調光信号Ｓのオンデューティに応じた光出力で発光する。時刻ｔ１において調光信号線Ｌｃに短絡ｓｔが発生すると、短絡検出信号Ｐｓが出力され、全ての調光信号線への調光信号Ｓの送信が一旦停止され（ｔ２）、その後調光信号線Ｌａ、Ｌｂ、Ｌｃ、Ｌｄの順に再開される。調光制御装置は、各調光信号線Ｌａ、Ｌｂ、Ｌｃ、Ｌｄへの調光信号Ｓの送信の再開を行う時刻ｔ３、ｔ４、ｔ５において、短絡検出信号Ｐｓの発生の有無を確認し、短絡検出信号Ｐｓを確認するときのタイミングによって短絡が発生した調光信号線Ｌｃを特定する。【選択図】図２
2008235042.tif 000002
【特許請求の範囲】
【請求項１】
複数の照明器具群と、
前記複数の照明器具群に対して調光信号を送信する調光制御装置と、
前記複数の照明器具群と前記調光制御装置とを照明器具群毎に別の系統として接続する複数の調光信号線と、を備えた照明調光制御システムにおいて、
前記調光制御装置は、
前記調光信号線の一部、又は全部に共通して接続された短絡検出部を有し、
前記短絡検出部がいずれかの調光信号線の短絡を検出したとき、当該短絡検出部に接続された調光信号線への調光信号の送信を一旦停止した後、調光信号線への送信を一系統ずつ順に再開して、前記短絡検出部が短絡を検出するタイミングに基づいて短絡の発生した調光信号線を特定することを特徴とする照明調光制御システム。
【請求項２】
前記調光制御装置は、
前記調光信号線への調光信号の送信を停止し、調光信号線への送信を一系統ずつ順に再開するときに、短絡の有無を判断した調光信号線については、再び調光信号の送信を停止することを特徴とする請求項１に記載の照明調光制御システム。
【発明の詳細な説明】
【技術分野】
【０００１】
本発明は、調光制御装置から調光信号を送信して複数の照明器具群を集中的に調光制御する照明調光制御システムに関する。
【背景技術】
【０００２】
１つの調光制御装置に対して複数の照明器具が調光信号線を介して並列に接続され、調光制御装置から送信する調光信号によってそれら照明器具を調光制御する照明装置が知られている（例えば、特許文献１参照）。特許文献１に記載の照明装置では、各照明器具に、点灯状態を監視して点灯状態が不良（不点灯や半波放電など）になったときに調光信号線を短絡する回路を備え、調光制御装置に、調光信号線が短絡されたことを検出する短絡検出回路と、短絡検出回路が短絡を検出したときに、異常の発生を報知する表示装置を備え、複数の照明器具のうち１つの照明器具の点灯状態が不良になった場合であっても、当該不良の発生をユーザに確実に報知できるようになっている。
【０００３】
他方、１つの調光制御装置に対して複数の照明器具群が複数の調光信号線を介して系統別に接続され、調光制御装置が系統毎の照明器具群に対して、別々の調光制御を行う調光制御システムが知られている。
【０００４】
以下、上記調光制御システムについて、図４を参照して説明する。調光制御システム１００は、照明器具群として、複数の蛍光灯照明器具１００Ｆａ１〜１００Ｆａ３を有する蛍光灯照明器具群１００Ｆａ、同じく複数の蛍光灯照明器具１００Ｆｂ１〜１００Ｆｂ３を有する蛍光灯照明器具群１００Ｆｂ、複数の白熱灯照明器具１００Ｒ１〜１００Ｒ３を有する白熱灯照明器具群１００Ｒ、及び複数のＬＥＤ照明器具１００Ｅ１〜１００Ｅ３を有するＬＥＤ照明器具群１００Ｅを備え、各照明器具群１００Ｆａ、１００Ｆｂ、１００Ｒ、１００Ｅは、１つの調光制御装置１０２に対して別の系統として複数の調光信号線１００Ｌａ、１００Ｌｂ、１００Ｌｃ、１００Ｌｄを介して接続されている。
【０００５】
調光制御装置１０２は、電源部１２２によって駆動電力を供給される制御部１２３と、制御部１２３によって制御されて各調光信号線１００Ｌａ、１００Ｌｂ、１００Ｌｃ、１００Ｌｄに所定のオンデューティのＰＷＭ信号（調光信号）を出力する調光信号駆動部１０１ａ、１０１ｂ、１０１ｃ、１０１ｄと、各調光信号線１００Ｌａ、１００Ｌｂ、１００Ｌｃ、１００Ｌｄにそれぞれ接続された短絡検出部１０２ａ、１０２ｂ、１０２ｃ、１０２ｄと、を備えている。制御部１２３は、赤外線受光部１２７を介して赤外線リモコン１０３からの指令信号の入力を受け、その指令信号に基づいて各調光信号駆動部１０１ａ、１０１ｂ、１０１ｃ、１０１ｄを制御して各調光信号駆動部１０１ａ、１０１ｂ、１０１ｃ、１０１ｄが所定のオンデューティのＰＷＭ信号を出力する。各照明器具群１００Ｆａ、１００Ｆｂ、１００Ｒ、１００Ｅは、調光信号線１００Ｌａ、１００Ｌｂ、１００Ｌｃ、１００Ｌｄを介して入力されるＰＷＭ信号（調光信号）のオンデューティに応じた光出力で発光する。
【０００６】
例えば、調光信号駆動部１０１ａは、蛍光灯照明器具群１００Ｆａに対してオンデューティが８０％のＰＷＭ信号を出力して、各蛍光灯１００Ｆａ１〜１００Ｆａ３が光出力２０％で発光し、調光信号駆動部１０１ｃは、白熱灯照明器具群１００Ｒに対してオンデューティが９０％のＰＷＭ信号を出力して、各白熱灯１００Ｒ１〜１００Ｒ３が光出力１０％で発光する。そして、各照明器具内に設けられた点灯状態の検知装置が不点灯や半波放電などの異常を検知すると、異常を検知した照明器具が接続された調光信号線１００Ｌａ、１００Ｌｂ、１００Ｌｃ、１００Ｌｄが短絡され、当該調光信号線の短絡検出部１０２ａ、１０２ｂ、１０２ｃ、１０２ｄが短絡を検出する。
【特許文献１】特開２００４−３３５１０９号公報
【発明の開示】
【発明が解決しようとする課題】
【０００７】
特許文献１に記載の照明装置では、１つの調光制御装置に対して調光信号線を介して接続された複数の照明器具の各々が点灯状態検出回路を有し、該点灯状態検出回路が点灯状態の不良を検出すると調光信号線を短絡するので、調光制御装置は、調光信号線に接続された照明器具のうちいずれかの照明器具が不良であることを認識できるが、１つの調光制御装置に対して複数系統の照明器具群が接続される場合については、何も示唆するところがない。
【０００８】
一方、前述の図４に示された調光制御システム１００では、各系統の調光信号線１００Ｌａ、１００Ｌｂ、１００Ｌｃ、１００Ｌｄ毎に短絡検出部１０２ａ、１０２ｂ、１０２ｃ、１０２ｄを備えているので、系統毎に照明器具群１００Ｆａ、１００Ｆｂ、１００Ｒ、１００Ｅに生じた点灯状態の不良を検出できるという長所を有するが、系統の数と同数の短絡検出部１０２ａ、１０２ｂ、１０２ｃ、１０２ｄを備えなければならずコスト高を招くという問題があった。
【０００９】
そこで、本発明は、調光制御装置から調光信号線を介して調光信号を送信して複数の照明器具群の照明器具を調光制御する照明調光制御システムにおいて、コスト高を招くことがなく簡単な構成によって、各照明器具群を接続する調光信号線の短絡を系統別に正しく検出することができる照明調光制御システムを提供することを目的とする。
【課題を解決するための手段】
【００１０】
上記目的を達成するために、請求項１の発明は、複数の照明器具群と、前記複数の照明器具群に対して調光信号を送信する調光制御装置と、前記複数の照明器具群と前記調光制御装置とを照明器具群毎に別の系統として接続する複数の調光信号線と、を備えた照明調光制御システムにおいて、前記調光制御装置は、前記調光信号線の一部、又は全部に共通して接続された短絡検出部を有し、前記短絡検出部がいずれかの調光信号線の短絡を検出したとき、当該短絡検出部に接続された調光信号線への調光信号の送信を一旦停止した後、調光信号線への送信を一系統ずつ順に再開して、前記短絡検出部が短絡を検出するタイミングに基づいて短絡の発生した調光信号線を特定することを特徴とする。
【００１１】
請求項２の発明は、請求項１に記載の照明調光制御システムにおいて、前記調光制御装置は、前記調光信号線への調光信号の送信を停止し、調光信号線への送信を一系統ずつ順に再開するときに、短絡の有無を判断した調光信号線については、再び調光信号の送信を停止することを特徴とする。
【発明の効果】
【００１２】
請求項１の発明によれば、短絡検出部がいずれかの調光信号線の短絡を検出したとき、当該短絡検出部に接続された調光信号線への調光信号の送信を一旦停止した後、一系統ずつ順に再開し、短絡検出部が短絡を検出するタイミングに基づいて短絡の発生した調光信号線を特定するので、短絡検出部は、調光信号線の本数（系統の数）よりも少ない個数で済み、かつ各照明器具群の照明器具の異常状態を系統別に正しく検出することができる。
【００１３】
請求項２の発明によれば、調光信号線への調光信号の送信を停止し、調光信号線への送信を一系統ずつ順に再開するときに、短絡の有無を判断した調光信号線については、再び調光信号の送信を停止するようにしたので、別系統の調光信号線においてほぼ同時に短絡が発生した場合であっても、短絡が発生した調光信号線を正しく検出することができる。
【発明を実施するための最良の形態】
【００１４】
（第１の実施形態）
本発明の第１の実施形態に係る照明調光制御システムについて、図１と図２を参照して説明する。本実施形態の調光制御システム１は、図１に示されるように、４系統の調光信号線Ｌａ、Ｌｂ、Ｌｃ、Ｌｄに対して調光信号Ｓを送信する調光制御装置２と、ユーザが操作して調光制御装置２に対して操作信号を出力するリモコン３と、各調光信号線Ｌａ、Ｌｂ、Ｌｃ、Ｌｄにそれぞれ接続された蛍光灯照明器具群Ｆａ、Ｆｂ、白熱灯照明器具群Ｒ、及びＬＥＤ照明器具群Ｅとを備える。
【００１５】
蛍光灯照明器具群Ｆａは、３台の蛍光灯照明器具Ｆａ１、Ｆａ２、Ｆａ３を備え、蛍光灯照明器具群Ｆｂは、３台の蛍光灯照明器具Ｆｂ１、Ｆｂ２、Ｆｂ３を備え、白熱灯照明器具群Ｒは、３台の白熱灯照明器具Ｒ１、Ｒ２、Ｒ３を備え、ＬＥＤ照明器具群Ｅは、３台のＬＥＤ照明器具Ｅ１、Ｅ２、Ｅ３を備える。各照明器具群Ｆａ、Ｆｂ、Ｒ、Ｅの照明器具Ｆａ１〜Ｆａ３、Ｆｂ１〜Ｆｂ３、Ｒ１〜Ｒ３、Ｅ１〜Ｅ３は、調光信号線Ｌａ、Ｌｂ、Ｌｃ、Ｌｄに対して並列に接続される。調光信号Ｓは、ＰＷＭ（Ｐｕｌｓｅ  Ｗｉｄｔｈ  Ｍｏｄｕｌａｔｉｏｎ）信号である。
【００１６】
蛍光灯照明器具Ｆａ１〜Ｆａ３、Ｆｂ１〜Ｆｂ３の点灯回路（不図示）は、調光信号線Ｌａ、Ｌｂを介して入力されるＰＷＭ信号（調光信号）に応じて電源電力の発振周期を変換して光源である蛍光灯ランプに供給し、蛍光灯ランプは、発振周期に応じた光出力で発光する。白熱灯照明器具Ｒ１〜Ｒ３とＬＥＤ照明器具Ｅ１〜Ｅ３との点灯回路（不図示）は、調光信号線Ｌｃ、Ｌｄを介して入力されるＰＷＭ信号（調光信号）に応じて電源電力の出力位相角を変換して光源である白熱灯ランプとＬＥＤランプに供給し、白熱灯ランプとＬＥＤランプは、位相角に応じた光出力で発光する。本実施形態では、蛍光灯照明器具Ｆａ１〜Ｆａ３、Ｆｂ１〜Ｆｂ３と白熱灯照明器具Ｒ１〜Ｒ３は、入力されるＰＷＭ信号のオンデューティの増加にほぼ比例して光出力が減少し、ＬＥＤ照明器具Ｅ１〜Ｅ３は、入力されるＰＷＭ信号のオンデューティの増加に対して光出力が指数関数状に増加する。
【００１７】
また、各照明器具Ｆａ１〜Ｆａ３、Ｆｂ１〜Ｆｂ３、Ｒ１〜Ｒ３、Ｅ１〜Ｅ３は、それぞれ点灯状態の異常を検出したときに調光信号線Ｌａ、Ｌｂ、Ｌｃ、Ｌｄを短絡する短絡部Ｆａ１ｓ〜Ｆａ３ｓ、Ｆｂ１ｓ〜Ｆｂ３ｓ、Ｒ１ｓ〜Ｒ３ｓ、Ｅ１ｓ〜Ｅ３ｓを備える。各短絡部Ｆａ１ｓ〜Ｆａ３ｓ、Ｆｂ１ｓ〜Ｆｂ３ｓ、Ｒ１ｓ〜Ｒ３ｓ、Ｅ１ｓ〜Ｅ３ｓは、例えば、各照明器具の照度を検出する照度センサ（不図示）と、照度センサが照度の低下を検出したときに各調光信号線Ｌａ、Ｌｂ、Ｌｃ、Ｌｄを所定時間短絡するトランジスタ（不図示）等を備える。
【００１８】
調光制御装置２は、商用電源２１から電源部２２を介して所定の動作電圧を供給されるマイクロプロセッサから構成される制御部２３と、制御部２３からの制御信号によって制御され各調光信号線Ｌａ、Ｌｂ、Ｌｃ、Ｌｄに当該制御信号に応じたオンデューティの調光信号Ｓ（ＰＷＭ信号）を出力する調光信号駆動部Ａ、Ｂ、Ｃ、Ｄと、照明器具の種別毎のオンデューティの値に対応する光出力値が記録された情報テーブルを記憶した記憶部２６と、赤外線リモコン３から送出される赤外線を受光し赤外線に重畳された指令信号を制御部２３へ出力する赤外線受光部２７と、制御部２３によって検出された各照明器具群Ｆａ、Ｆｂ、Ｒ、Ｅ毎の異常状態を、ユーザが区別できるようにして報知する警報装置２９と、調光信号線Ｌａ、Ｌｂ、Ｌｃ、Ｌｄに共通して接続された１つの短絡検出部２５と、を備える。警報装置２９は、系統別に異なった色の光を出力するＬＥＤ等のランプ、及び音声を出力するスピーカ等によって構成することができる。また、赤外線受光部２７は、特定小電力無線その他の電波を受信するものでもよい。
【００１９】
制御部２３は、赤外線受光部２７を介して赤外線リモコン３から適宜の指令信号（例えば、「蛍光灯照明器具群Ｆａを光出力５０％で点灯する」等）を受信したときに、制御対象の照明器具群Ｆａの各蛍光灯照明器具Ｆａ１〜Ｆａ３が指定された光出力（５０％）になるオンデューティの値を記憶部２６に記憶された情報テーブルの中から検索し、調光信号駆動部Ａが、当該オンデューティ値の調光信号Ｓ（ＰＷＭ信号）を出力するように制御し、照明器具群Ｆａの各蛍光灯照明器具Ｆａ１〜Ｆａ３が指定された光出力（５０％）で発光する。
【００２０】
次に、白熱灯照明器具群Ｒに接続された調光信号線Ｌｃにおいて短絡が発生する場合について、調光制御装置２の動作を、図２のタイミングチャートを参照して説明する。いま、調光制御装置２の電源が投入されて、調光信号駆動部Ａ、Ｂ、Ｃ、Ｄは、それぞれ所定のオンデューティ値の調光信号Ｓを各調光信号線Ｌａ、Ｌｂ、Ｌｃ、Ｌｄを介して各照明器具群Ｆａ、Ｆｂ、Ｒ、Ｅへ送信し、各照明器具群Ｆａ、Ｆｂ、Ｒ、Ｅの照明器具は、所定の光出力で発光している。図２に示された調光信号線Ｌａに送信される調光信号Ｓのオンデューティ値は約２５％、同じく調光信号線Ｌｂに送信される調光信号Ｓのオンデューティ値は約８３％、同じく調光信号線Ｌｃに送信される調光信号Ｓのオンデューティ値は約５８％、同じく調光信号線Ｌｄに送信される調光信号Ｓのオンデューティ値は約２５％である。
【００２１】
そして、時刻ｔ１において白熱灯照明器具群Ｒのいずれかの照明器具Ｒ１〜Ｒ３に異常が発生して調光信号線Ｌｃが短絡ｓｔされたとき、各調光信号線Ｌａ、Ｌｂ、Ｌｃ、Ｌｄに共通に接続された短絡検出部２５が、その短絡ｓｔを検出して短絡検出信号Ｐｓを制御部２３へ出力する。制御部２３は、短絡検出部２５からの短絡検出信号Ｐｓを受けると、各調光信号駆動部Ａ、Ｂ、Ｃ、Ｄに対して調光信号Ｓの送信を停止する制御信号を出力し、各調光信号駆動部Ａ、Ｂ、Ｃ、Ｄは、調光信号Ｓの送信を一旦停止する（時刻ｔ２）。これによって短絡検出部２５からの短絡検出信号Ｐｓの出力が停止する。
【００２２】
その後、制御部２３は、時刻ｔ３において調光信号線Ｌａへの調光信号Ｓの送信を再開し、時刻ｔ４において調光信号線Ｌｂへの調光信号Ｓの送信を再開し、・・というように各調光信号線Ｌａ、Ｌｂ、Ｌｃ、Ｌｄへの調光信号Ｓの送信を所定のタイムラグを持たせて順に再開する。そして、制御部２３は、上記各調光信号線Ｌａ、Ｌｂ、Ｌｃ、Ｌｄへの調光信号Ｓの送信の再開動作を行いつつ調光信号Ｓの各再開時刻ｔ１、ｔ２・・において短絡検出部２５からの短絡検出信号Ｐｓの有無を判断し、再び短絡検出信号Ｐｓを受信するタイミングに基づいて、いずれの調光信号線Ｌａ、Ｌｂ、Ｌｃ、Ｌｄが短絡したのかを特定し、ひいてはいずれの系統の照明器具群Ｆａ、Ｆｂ、Ｒ、Ｅに異常が発生したのかを判断する。
【００２３】
図２に示された例では、時刻ｔ５において調光信号線Ｌｃへの調光信号Ｓの送信が再開されたときに、短絡検出部２５が短絡検出信号Ｐｓを出力し、制御部２３は、調光信号線Ｌｃへの調光信号Ｓの送信の再開を行ったタイミング（ｔ５）において、短絡検出信号Ｐｓを受信したことから、調光信号線Ｌｃにおいて短絡が発生していることを認識し、白熱灯照明器具群Ｒのいずれかの照明器具Ｒ１〜Ｒ３に異常が発生したことを認識する。その後、制御部２３は、時刻ｔ６において調光信号線Ｌｃ以外の調光信号線Ｌａ、Ｌｂ、Ｌｄへの調光信号Ｓの送信を再開し（調光信号線Ｌａ、Ｌｂについては既に再開している）、白熱灯照明器具群Ｒのいずれかの照明器具Ｒ１〜Ｒ３に異常が発生したことを警報装置２５へ出力する。
【００２４】
警報装置２５による警報の態様は、各系統に対応して設けられた４つの色の異なるＬＥＤのうち異常の発生したＬＥＤを点灯させる態様であってもよいし、スピーカから白熱灯照明器具群Ｒのいずれかの照明器具Ｒ１〜Ｒ３に異常が発生したことを具体的に表すメッセージを音声出力させる態様であってもよい。
【００２５】
以上のように、本実施形態の照明調光制御システム１では、各調光信号線Ｌａ、Ｌｂ、Ｌｃ、Ｌｄへの調光信号Ｓの送信を一旦停止した後、一系統ずつ順に再開し、各調光信号線Ｌａ、Ｌｂ、Ｌｃ、Ｌｄに共通に接続された短絡検出部２５が短絡ｓｔを検出するタイミングに基づいて短絡ｓｔの発生した調光信号線Ｌａ、Ｌｂ、Ｌｃ、Ｌｄを特定するので、１つの短絡検出部２５を備えるだけで、いずれの系統の各照明器具群Ｆａ、Ｆｂ、Ｒ、Ｅにおいて異常状態が発生したのかを判断することができる。
【００２６】
なお、本実施形態においては、１つの制御部２３に接続される調光信号線Ｌａ、Ｌｂ、Ｌｃ、Ｌｄの系統が４つであったが、調光信号線Ｌａ、Ｌｂ、Ｌｃ、Ｌｄは、５系統以上のより多い系統であってもよいし、その場合、全ての調光信号線に共通するように１つの短絡検出部２５を接続するのではなく、複数系統ずつに分けたグループごとに共通の短絡検出部２５を接続するようにしてもよい。例えば、上記の例であれば、調光信号線Ｌａ、Ｌｂに対して共通に１つの短絡検出部２５が接続され、調光信号線Ｌｃ、Ｌｄに対して共通に１つの短絡検出部２５が接続されてもよい。
【００２７】
（第２の実施形態）
本発明の第２の実施形態に係る照明調光制御システムについて、図３を参照して説明する。第２の実施形態の照明調光制御システム１は、第１の実施形態の照明調光制御システム１と同一のハード構成を備え、ハード構成についての説明は省略する。第２の実施形態の照明調光制御システム１は、第１の実施形態の照明調光制御システム１に対して、短絡検出部２５がいずれかの調光信号線Ｌａ、Ｌｂ、Ｌｃ、Ｌｄの短絡を検出した後に、制御部２３が調光信号線Ｌａ、Ｌｂ、Ｌｃ、Ｌｄへの調光信号Ｓの送信の再開を行う態様が異なっている。
【００２８】
次に、第２の実施形態の照明調光制御システム１における調光制御装置２の動作を、調光信号線Ｌｂと調光信号線Ｌｃの２系統において同時に短絡ｓｔが発生する場合について、図３のタイミングチャートを参照して説明する。短絡ｓｔが発生する以前（時刻ｔ１より以前）においては図２に示されたタイミングチャートと同様に、調光信号駆動部Ａ、Ｂ、Ｃ、Ｄが、それぞれ所定のオンデューティ値の調光信号Ｓを各調光信号線Ｌａ、Ｌｂ、Ｌｃ、Ｌｄを介して各照明器具群Ｆａ、Ｆｂ、Ｒ、Ｅへ送信し、各照明器具群Ｆａ、Ｆｂ、Ｒ、Ｅの照明器具は、所定の光出力で発光している。そして、時刻ｔ１において蛍光灯照明器具群Ｆｂと白熱灯照明器具群Ｒのいずれかの照明器具に同時に異常が発生して、調光信号線Ｌｂと調光信号線Ｌｃが同時に短絡ｓｔされたとき、各調光信号線Ｌａ、Ｌｂ、Ｌｃ、Ｌｄに共通に接続された短絡検出部２５が、その短絡ｓｔを検出して短絡検出信号Ｐｓを制御部２３へ出力する。制御部２３は、短絡検出部２５からの短絡検出信号Ｐｓを受信すると、各調光信号駆動部Ａ、Ｂ、Ｃ、Ｄに対して調光信号Ｓの送信を停止する制御信号を出力し、各調光信号駆動部Ａ、Ｂ、Ｃ、Ｄは、調光信号Ｓの送信を一旦停止する（時刻ｔ２）。これによって短絡検出部２５からの短絡検出信号Ｐｓの出力が停止する。
【００２９】
その後、制御部２３は、第１の実施形態と同様に、時刻ｔ３において調光信号線Ｌａへの調光信号Ｓの送信を再開し、時刻ｔ４において調光信号線Ｌｂへの調光信号Ｓの送信を再開し、・・というように各調光信号線Ｌａ、Ｌｂ、Ｌｃ、Ｌｄへの調光信号Ｓの送信を所定のタイムラグを持たせて順に再開し、各調光信号線Ｌａ、Ｌｂ、Ｌｃ、Ｌｄへの調光信号Ｓの送信の再開動作を行いつつ調光信号Ｓの各再開時刻ｔ３、ｔ４・・における短絡検出部２５からの短絡検出信号Ｐｓの有無に基づいていずれの調光信号線Ｌａ、Ｌｂ、Ｌｃ、Ｌｄが短絡しているかを判断するが、この第２の実施形態においては、順に再開する調光信号線Ｌａ、Ｌｂ、Ｌｃ、Ｌｄへの調光信号Ｓの送信を、制御部２３が各再開時刻ｔ３、ｔ４・・における短絡検出信号Ｐｓの有無の判断を行った後に、再び停止する。
【００３０】
具体的に説明すると、制御部２３は、時刻ｔ３において調光信号線Ｌａへの調光信号Ｓの送信を再開し、同時に短絡検出信号Ｐｓの有無を判断して、短絡検出信号Ｐｓが無いことを確認し、時刻ｔ４において調光信号線Ｌａへの調光信号の送信を再び停止し、調光信号線Ｌｂへの調光信号Ｓの送信を再開する。調光信号線Ｌｂは、短絡されているので短絡検出部２５が短絡検出信号Ｐｓを出力し、制御部２３は、調光信号線Ｌｂについて短絡検出信号Ｐｓが有ることを確認する。同様にして、制御部２３は、時刻ｔ５において調光信号線Ｌｂへの調光信号Ｓの送信を再び停止し、調光信号線Ｌｃへの調光信号Ｓの送信を再開する。調光信号線Ｌｃは、短絡されているので短絡検出部２５が短絡検出信号Ｐｓを出力し、制御部２３は、調光信号線Ｌｃについて短絡検出信号Ｐｓが有ることを確認する。さらに、制御部２３は、時刻ｔ６において調光信号線Ｌｃへの調光信号Ｓの送信を再び停止し、調光信号線Ｌｄへの調光信号Ｓの送信を再開し、調光信号線Ｌｄについて短絡信号Ｐｓが無いことを確認する。そして、制御部２３は、時刻ｔ７において、短絡検出信号Ｐｓがあることを確認した調光信号線Ｌｂ、Ｌｃ以外の調光信号線Ｌａ、Ｌｄについて調光信号Ｓの送信を再開し、蛍光灯照明器具群Ｆｂと白熱灯照明器具群Ｒにおいて異常が発生したことを警報装置２９を介してユーザへ報知する。
【００３１】
以上のように、第２の実施形態の照明調光制御システム１では、調光信号線Ｌａ、Ｌｂ、Ｌｃ、Ｌｄへの調光信号Ｓの送信を一系統ずつ順に再開するときに、短絡ｓｔの有無を確認した調光信号線Ｌａ、Ｌｂ、Ｌｃ、Ｌｄについては、調光信号Ｓの送信を再び停止するようにしたので、別系統の調光信号線Ｌａ、Ｌｂ、Ｌｃ、Ｌｄにおいてほぼ同時に短絡ｓｔが発生した場合であっても、短絡が発生した調光信号線Ｌａ、Ｌｂ、Ｌｃ、Ｌｄを正しく検出することができる。
【図面の簡単な説明】
【００３２】
【図１】本発明の第１の実施形態に係る照明調光制御システムの全体構成を示すブロック図。
【図２】同照明調光制御システムにおける各調光信号線に送信される調光信号と短絡検出部から出力される短絡検出信号のタイミングチャート。
【図３】本発明の第２の実施形態に係る照明調光制御システムにおける各調光信号線に送信される調光信号と短絡検出部から出力される短絡検出信号のタイミングチャート。
【図４】従来の調光制御システムの全体構成を示すブロック図。
【符号の説明】
【００３３】
１  照明調光制御システム
２  調光制御装置
２５  短絡検出部
Ｆａ  蛍光灯照明器具群（照明器具群）
Ｆｂ  蛍光灯照明器具群（照明器具群）
Ｒ  白熱灯照明器具群（照明器具群）
Ｅ  ＬＥＤ照明器具群（照明器具群）
Ｌａ、Ｌｂ、Ｌｃ、Ｌｄ  調光信号線
Ｓ  調光信号
Ｐｓ  短絡検出信号
【図１】
2008235042.tif 000003
【図２】
2008235042.tif 000004
【図３】
2008235042.tif 000005
【図４】
2008235042.tif 000006